(57)【特許請求の範囲】
【請求項１】
木馬形状の枢支板２５の胴部２５ａが第１固定軸２４を介して軸支され、この第１固定軸を基準にして胴部に連設する上端部に第１受部２７と胴部に連設する下端部に第２受部（２８，２８Ａ）と該第２受部と前記第１固定軸との間に押圧部２９，２９Ａとをそれぞれ有する一つの駆動部材（２３，２３Ａ）と、この駆動部材の前記押圧部とラッチ６用のラッチ枠１０の後方との間にアングル形状の係合壁３１の立ち上がり部３１ａが位置するように第２固定軸３３を介して軸支され、かつ立ち上がり部に連設する係合壁３１の先端部側に前記ラッチと係脱する係止部３４を有する係脱部材（３０，３０Ａ）と、前記第２固定軸３３に設けられ、かつ前記係脱部材を直接的に付勢すると共に前記駆動部材を間接的に付勢する付勢バネ３７を含む三物品から成り、前記錠箱の側壁の上下には窓孔１８をそれぞれ形成し、これら上下の窓孔にはプシュプル式の操作部材の操作によって移動する上方押圧片１９と下方押圧片２０を錠箱の内部空間へとそれぞれ突出させ、ラッチの係止解除時、操作部材の操作によって上方押圧片又は下方押圧片のいずれが移動しても、係脱部材は、前記立ち上がり部が駆動部材の押圧部に押圧され、かつ付勢バネのバネ力に抗して係合解除の方向へ回転することを特徴とする錠前用ラッチの係止解除機構。
【発明の詳細な説明】
【０００１】
【発明の属する技術分野】
本発明は錠前用ラッチの係止解除機構に関する。
【０００２】
【従来の技術】
従来、錠前のラッチの係止解除機構は、内外の操作部材の一つ、例えば内側操作ハンドルをプッシュ（押す）操作すると、これに連動する作動アームを介して錠箱に形成した窓孔から錠箱の内部空間へと入り込む押圧片が水平方向へと移動する。この時、押圧片の押圧力により回転する駆動部材は、例えば左右一対設けられている、駆動部材用の復帰バネ部材が設けられているなど構成点数が多かった。
【０００３】
そこで、現在、駆動部材と、この駆動部材の駆動力でラッチと係脱する係脱部材と、係脱部材並びに駆動部材を復帰させるバネ部材の「三物品」から成るシンプルな錠前用ラッチの係止解除機構の出現が期待されている。
【０００４】
【発明が解決しようとする課題】
本発明の錠前用ラッチの係止解除機構は、以上のような従来の要望点に鑑み、簡単な機構と合理的な部材の組み合わせにより、部品点数を極力少なくすることである。
【０００５】
【課題を解決するための手段】
本発明の錠前用ラッチの係止解除機構は、木馬形状の枢支板２５の胴部２５ａが第１固定軸２４を介して軸支され、この第１固定軸を基準にして胴部に連設する上端部に第１受部２７と胴部に連設する下端部に第２受部（２８，２８Ａ）と該第２受部と前記第１固定軸との間に押圧部２９，２９Ａとをそれぞれ有する一つの駆動部材（２３，２３Ａ）と、この駆動部材の前記押圧部とラッチ６用のラッチ枠１０の後方との間にアングル形状の係合壁３１の立ち上がり部３１ａが位置するように第２固定軸３３を介して軸支され、かつ立ち上がり部に連設する係合壁３１の先端部側に前記ラッチと係脱する係止部３４を有する係脱部材（３０，３０Ａ）と、前記第２固定軸３３に設けられ、かつ前記係脱部材を直接的に付勢すると共に前記駆動部材を間接的に付勢する付勢バネ３７を含む三物品から成り、前記錠箱の側壁の上下には窓孔１８をそれぞれ形成し、これら上下の窓孔にはプシュプル式の操作部材の操作によって移動する上方押圧片１９と下方押圧片２０を錠箱の内部空間へとそれぞれ突出させ、ラッチの係止解除時、操作部材の操作によって上方押圧片又は下方押圧片のいずれが移動しても、係脱部材は、前記立ち上がり部が駆動部材の押圧部に押圧され、かつ付勢バネのバネ力に抗して係合解除の方向へ回転することを特徴とする。
【０００６】
付言すると、付勢バネ３７は係脱部材３０，３０Ａを軸支する第２固定軸３３に設けられ、駆動部材２３，２３Ａはこの付勢バネのバネ力を利用してかつ係脱部材を介して間接的に復帰することを特徴とする。
【０００７】
【発明の実施の形態】
図１乃至図５に基づいて第１実施例を説明する。１は扉２の自由側端部に取り付けられた錠前である。本実施例では外開き式扉に取り付けた場合を例にして説明する。なお、本実施例ではプシュプル錠にも適用することができる。
さて、３はラッチ用の窓を有する横長状の錠箱で、この錠箱３は、例えば扉２の自由側端部に形成された錠箱用空洞に収納され、かつ、フロント板４の裏面に固定的に接合する裏板５、図示しない固着具などを介して扉２に固定される。
【０００８】
６はフロント板４を基準に進退動するラッチで、ラッチ６は、公知のように戸枠側のストライク７と係合する。ここでのラッチ６は、錠箱３の内部へそのままストレートに後退するもの（普通一般に、「ラッチ」と称されている。）、多少所要角度まで水平回転しながら後退するもの（「反転ラッチ」と称されている。）如何を問わず、戸枠側に突出してストライク７に係合するものは、全て含まれる。
ラッチ６の形態については特に図示しないが、本実施例では反転ラッチ（その一例は、特公平２−５５５９１に開示されている。）が採用されている。
【０００９】
ラッチ６の構成について簡単に説明する。６ａはストライク７の開口縁と摺接する垂直状態の衝止面である。６ｂ，６ｂは、ラッチ６の上下面からそれぞれ突出する突起部で、これらの突起６ｂ，６ｂはラッチの回転軸としての機能、後述する係合部材と係合する機能などを有する。６ｃ，６ｃはラッチの後端部で、この後端部６ｃ，６ｃにはラッチバネ８用の収納部が形成されている。
【００１０】
なお、本実施例では、説明の便宜上、前記突起６ｂ，６ｂを基準として前側をラッチの先端部、後側をラッチの後端部として説明するが、ラッチの先端部とラッチの後端部とをそれぞれ別体にし、ラッチの後端部をラッチに連動するスライダー部材にしても良い。
【００１１】
次に１０は、錠箱３内の先端部に固定的に配設された断面コ字型のラッチ用支持枠で、この支持枠の下壁１０ａには、ラッチの進退動方向に切欠部１１が形成されている。１２はラッチ用支持枠１０内に設けられ、かつラッチバネ８の他端部側を収納する小ケースである。
【００１２】
ここで、図２を参照にして錠箱３の構成について簡単に触れる。前述したように符号５は開口５ａを有する裏板、１３は上壁、１４は下壁、１５は後壁、１６は側壁である（これらの各壁の一体部分は、「ケース身」と称され、図示しない蓋板がある）。
【００１３】
しかして、１７は側壁１６の中央部寄りの部位に形成された第１固定軸用の第１取付け孔で、この第１取付け孔１７を基準として上下に一対の水平長孔１８，１８が形成されている。これらの水平長孔１８，１８は、図１で示すように、上下の押圧片１９，２０が、錠箱３の外から該錠箱３の内部空間２１に突出するように入り込んでいる。上下の押圧片１９，２０は、外側用操作部材と内側操作部材のものであり、例えば外開き式扉２の内側に配設された内側操作部材用のものは下方押圧片２０であり、一方、外開き式扉２の外側に配設された外側操作部材用のものは上方押圧片１９である。
【００１４】
したがって、内側操作部材を操作する（例えば押す）と下方押圧片２０が駆動部材２３Ａの第２受部２８の方へ移動し、これに対して外側操作部材を操作する（例えば引く）と上方押圧片１９が駆動部材２３の第１受部２７の方へ移動する。
【００１５】
なお、この場合、扉に取り付けた錠前がプシュプル錠である場合には、今仮に内側操作部材を「プッシュ（押す操作）」すると、下方押圧片２０が、図２の矢印Ａ方向へ水平移動し、一方、内側操作部材を「プル（引く操作）」すると、上方押圧片１９が図２の矢印Ｂ方向へ水平移動する。
【００１６】
本発明は、このように内外の操作部材の機構ないし操作態様如何に拘わらず、駆動部材２３の上下にそれぞれ設けた第１受部２７と第２受部２８に対応して上方押圧片１９と下方押圧片２０を錠箱３の側壁１６の窓孔（本実施例では水平長孔）１８，１８から突出させている。そして、本実施例では、説明の便宜上、図示しない内側操作部材を「プッシュ（押す操作）」すると、下方押圧片２０が図２の矢印Ａ方向へ水平移動し、一方、外側操作部材を「プル（引く操作）」すると、上方押圧片１９が図２の矢印Ｂ方向へ水平移動するものと仮定する。
【００１７】
次に２３は、錠箱３の後端部側に内装され、かつ、錠箱３に第１固定軸２４を介して回動自在に軸支された駆動部材である。第１固定軸２４は錠箱３に第１取付け孔１７を介して横設軸架されている。駆動部材２３には復帰バネは設けられていないが、後述する係脱部材用の付勢バネのバネ力を利用して間接的に復帰する。
【００１８】
図３を参照にして駆動部材２３の形態について説明する。２５は胴部２５ａに枢支孔２６を有する木馬形状の枢支板で、この枢支板２５は、前記胴部２５ａと、この胴部２５ａから右上方に延びる頭部２５ｂと、一方、頭部２５ｂとは逆に胴部２５ａから右下方に延びる前脚部２５ｃと、胴部２５ａから左下方に延びる後脚部２５ｄとから成る。
【００１９】
しかして、前記頭部２５ｂの上端部には側壁１６と交差して内部空間へと突出する上方押圧片用の第１受部２７が一体的に設けられている。これに対して、前記後脚部２５ｄの下端部にも、同様に側壁１６と交差して内部空間へと突出する下方押圧片用の第２受部２８が一体的に設けられている。また、前記後脚部２５ｄの上端部（御尻付近）には、後述する係脱部材と常時圧接している押圧部２９が突出状態に設けられている。なお、第１受部２７、第２受部２８、押圧部２９のそれぞれの形状は、杆状又は板状のいずれでも良い。
【００２０】
次に図４を参照にしてラッチを施錠・解錠状態にする係脱部材３０について説明する。係脱部材３０は垂直壁３１，３１、一対の軸孔３２，３２などを有し、錠箱３の側壁１６に横設軸架された第２固定軸３３を介して回動自在に軸支されている。第２固定軸３３は側壁１６の下部に形成された第２取付け孔２２に取り付けられている。
【００２１】
しかして、３１，３１は左右に対向するアングル状係合壁で、これらの係合壁３１，３１の中央部には、第２固定軸用の軸孔３２が形成されている。また、３４は係合壁３１の一つ上辺部に連設形成された係止部で、この係止部３４は、図１で示すように、その上辺部から突出し、かつラッチ用支持枠１０の切欠部１１から入り込んでラッチ６の突起部６ｂと係合する。また３５は係合壁３１，３１の先端部側下辺部を一体的に連設する連結板である。
【００２２】
さらに、３６は係合壁３１の立ち上がり部３１ａに形成された摺接部分（本実施例では摺接突起）で、この摺接突起３６は、本実施例では、前述した駆動部材２３の押圧部２９に対し、（イ）施錠の際には、第２固定軸に設けられた付勢バネ３７のバネ力により押圧部２９を押圧して駆動部材２３を元の状態に戻す機能、（ロ）一方、解錠の際には駆動部材２３の押圧部２９に押圧され、かつ、前記付勢バネ３７のバネ力に抗して係脱部材３０を係合解除の方向へ回転させる機能をそれぞれ有している。
【００２３】
３７は第２固定軸３３に巻装され、かつ、係脱部材３０を常時ラッチ６に係合する方向に付勢する付勢バネである。
上記構成に於いて、図１は係合部材３０がラッチ６を係止している施錠状態の説明図である。この時、係合部材３０の係止部３４は、支持枠１０の下壁１０ａの内壁面から突出し、ラッチ６に対するストッパー機能を発揮している。それ故に、ラッチ６は後退することができない。
【００２４】
図５は係合部材３０がラッチ６から離脱（係止解除）した解錠状態の説明図である。この図５を参照に解錠になる作動を説明すると、今仮に内側操作部材を「プッシュ（押す操作）」し、下方押圧片２０が、図２の矢印Ａ方向へ水平移動したと仮定する。そうすると、駆動部材２３の第２受部２８が下方押圧片２０に押されるので、該駆動部材２３は第１固定軸２４を支点に時計方向に回転する。
しかして、駆動部材２３が回転すると、前述したように、係脱部材３０の摺接突起３６は駆動部材２３の押圧部２９に押圧され、かつ、前記付勢バネ３７のバネ力に抗して係脱部材３０を係合解除の方向へ回転させる。
【００２５】
したがって、係合部材３０の係止部３４は、支持枠１０の切欠部１１へと引っ込む。それ故に、ラッチ６はラッチバネ８のバネ力に抗して後退する。この場合、本実施例の錠前１は外開き式用の錠前であるから、今仮に外側操作部材を「プル（引く操作）」すると、上方押圧片１９が図２の矢印Ｂ方向へ水平移動するものと仮定しても、上記と作用は同じである。これに対して、図１は係合部材３０がラッチ６に係合した（係止）した施錠状態の説明図である。この場合内側操作部材から手を放すと、前述したように、係脱部材３０の摺接突起３６は、付勢バネ３７のバネ力により駆動部材２３の押圧部２９を押圧するので、駆動部材２３は元の状態に復帰する。
【００２６】
【実施例】
次に、この欄では第１実施例の設計変形を第２実施例とし説明する。なお、この実施例の説明にあたって、第１実施例と同一又は同様（機能が同一）の部分には、同一又は同様の符号を付し、重複する説明を省略する。
【００２７】
図６乃至図９に示す第２実施例に於いて、第１実施例と主に異なる点は、駆動部材２３Ａと係脱部材３０Ａの形態である。図７の斜視で示した駆動部材２３Ａと図３の駆動部材２３の形状を比較すると、（１）駆動部材２３Ａの枢支板２５Ａの形状と、（２）枢支板２５Ａに一体的に設けた押圧部２９Ａの位置並びに形状が異なる。すなわち、枢支板２５Ａには、第１実施例の枢支板２５のような前脚部２５ｃや後脚部２５ｄが形成されていない。また押圧部２９Ａは、円柱状の横棒であり、第２受部２８Ａのやや斜め上方に位置するように枢支板２５Ａの後端部に一体的に設けられている。また、図８の斜視で示した係脱部材３０Ａと図４の係脱部材３０の形状を比較すると、（ａ）係脱部材３０Ａの係合壁３１Ａ，３１Ａの形状が若干異なり、（ｂ）係合壁３１Ａ，３１Ａの立ち上がり部３１ａ，３１ａが人差し指状に形成され、これらの上端部が摺接突起３６Ａ，３６Ａの機能を発揮する。
【００２８】
上記のように駆動部材２３Ａと係脱部材３０Ａの形態をそれぞれ変更しても、図６及び図９で示すように第１実施例と同一の作用・効果がある。
【００２９】
【発明の効果】
以上の説明から明らかなように、本発明にあっては、操作部材の操作によって上方押圧片又は下方押圧片のいずれが移動しても、係脱部材は、駆動部材の押圧部に押圧され、かつ、錠箱に内装された付勢バネのバネ力に抗して係合解除の方向へ回転する。したがって、付勢バネも含め、合計三物品で発明の目的を達成することができる。それ故に、安価に製作することができる、組み合わせが容易である、故障が少ないなどの利点を得ることができる。
【図面の簡単な説明】
図１乃至図５は本発明の第１実施例を示す各説明図。図６乃至図９は本発明の第２実施例を示す各説明図。
【図１】第１実施例の係止状態の概略断面説明図。
【図２】錠箱（ケース身）の概略断面説明図。
【図３】駆動部材の斜視図。
【図４】係脱部材の説明図。
【図５】係合解除状態の概略断面説明図。
【図６】第２実施例の係止状態の概略断面説明図。
【図７】駆動部材の斜視図。
【図８】係脱部材の説明図。
【図９】係合解除状態の概略断面説明図。
【符号の説明】
１…錠前、２…扉、３…錠箱、６…ラッチ、７…ストランク、１１…支持枠、１７，２２…取付け孔、１８…窓孔、１９…上方押圧片、２０…下方押圧片、２１…内部空間、２３，２３Ａ…駆動部材、２４…第１固定軸、２５，２５Ａ…枢支板、２６…枢支孔、２７…第１受部、２８，２８Ａ…第２受部、２９，２９Ａ…押圧部、３０，３０Ａ…係脱部材、３１，３１Ａ…係合壁、３１ａ…立ち上がり部、３２…軸孔、３３…第２固定軸、３４…係止部、３６，３６Ａ…摺接突起、３７…付勢バネ。
【図１】
0004033661.tif 000002
【図２】
0004033661.tif 000003
【図３】
0004033661.tif 000004
【図４】
0004033661.tif 000005
【図５】
0004033661.tif 000006
【図６】
0004033661.tif 000007
【図７】
0004033661.tif 000008
【図８】
0004033661.tif 000009
【図９】
0004033661.tif 000010